(57)【要約】【課題】  送信すべき光の受信光への混入率を低減させる導波路型一芯双方向通信モジュールを提供することを課題とする。【解決手段】  光導波路４９は、発光側と受光側とに経路を分岐してなるとともに、発光素子４７に対向する入射端面５８と、受光素子４８に対向する出射端面５９と、光ファイバの端面に対向する入出射端面５７とを有する。光導波路部材５０は、光導波路４９の入射端面５８及び出射端面５９を一方の部材端部６１側に配置するとともに、入出射端面５７を他方の部材端部６０側に配置してなる。光導波路台５２は、発光素子４７及び受光素子４８を横に並べて配置する素子配置部６２と、光ファイバ側接続部６３とを有する。収納凹部５１は、光導波路部材５０を発光素子４７と受光素子４８と光ファイバとの位置に合わせて固定する固定構造を有する。【選択図】    図５
2007052194.tif 000002
【特許請求の範囲】
【請求項１】
発光素子及び受光素子と、光導波路を有する光導波路部材と、該光導波路部材を収納するための収納凹部を有する光導波路台とを備え、
前記光導波路は、発光側と受光側とに経路を分岐してなるとともに、前記発光素子に対向する入射端面と、前記受光素子に対向する出射端面と、光ファイバの端面に対向する入出射端面とを有し、
前記光導波路部材は、前記光導波路の前記入射端面及び前記出射端面を一方の部材端部側に配置するとともに、前記入出射端面を他方の部材端部側に配置してなり、
前記光導波路台は、前記発光素子及び前記受光素子を横に並べて配置する素子配置部と、前記光ファイバ側となる光ファイバ側接続部とを、前記収納凹部に対して連続するように有し、
前記収納凹部は、前記光導波路部材を前記発光素子と前記受光素子と前記光ファイバとの位置に合わせて固定する固定構造を有する
ことを特徴とする導波路型一芯双方向通信モジュール。
【請求項２】
請求項１に記載の導波路型一芯双方向通信モジュールにおいて、
前記受光側の経路の途中又は前記出射端面にノイズ光除去用の光フィルタを設ける、或いは前記入出射端面を斜めに形成する
ことを特徴とする導波路型一芯双方向通信モジュール。
【請求項３】
請求項１又は請求項２に記載の導波路型一芯双方向通信モジュールにおいて、
前記受光側の経路を前記発光側の経路よりも太く形成する
ことを特徴とする導波路型一芯双方向通信モジュール。
【請求項４】
請求項１又は請求項２に記載の導波路型一芯双方向通信モジュールにおいて、
前記受光側の経路を直線的に形成するとともに、前記発光側の経路と前記受光側の経路とを非対称に形成する
ことを特徴とする導波路型一芯双方向通信モジュール。
【請求項５】
請求項１ないし請求項４いずれか記載の導波路型一芯双方向通信モジュールにおいて、
前記入射端面の幅を前記発光側の経路の幅よりも広く形成する
ことを特徴とする導波路型一芯双方向通信モジュール。
【発明の詳細な説明】
【技術分野】
【０００１】
本発明は、一芯の光ファイバに波長の異なる２波の光を伝送させて双方向の通信を行う一芯双方向通信モジュールに関し、詳しくは、発光素子及び受光素子と、光導波路を有する光導波路部材と、この光導波路部材を収納するための収納凹部を有する光導波路台とを備える導波路型一芯双方向通信モジュールに関する。
【背景技術】
【０００２】
従来の一芯双方向通信モジュールとしては、下記特許文献１に開示されたものが知られている。図１４において、従来の一芯双方向通信モジュール１は、光導波路部材２を有している。この光導波路部材２の端面３には、多層膜光フィルタ４が設けられている。光導波路部材２は、端面３においてＶ字状に結合する第一の光導波路５と第二の光導波路６とを有している。一芯双方向通信モジュール１は、発光素子７及び受光素子８を有している。発光素子７は、第一の光導波路５の端部に配置されている。また、受光素子８は、多層膜光フィルタ４よりも奥側に配置されている。発光素子７と受光素子８は、図示のように異なる位置に配置されている。
【０００３】
従来の一芯双方向通信モジュール１は、発光素子７からの第一の波長光Ａが第一の光導波路５を介して端面３に入射すると、この第一の波長光Ａが多層膜光フィルタ４によって反射され、そして、第二の光導波路６を通り光ファイバ９に結合するような構造になっている。また、従来の一芯双方向通信モジュール１は、光ファイバ９からの第二の波長光Ｂが第二の光導波路６を介して端面３に入射すると、この第二の波長光Ｂが多層膜光フィルタ４を透過するとともに空気層１０を通過して、受光素子８に結合するようになっている。尚、図１４中の引用符号１１は多層膜光フィルタ４を覆う光学樹脂層を示している。
【特許文献１】特開２００４−２８７１８６号公報  （第３頁、第１図）
【発明の開示】
【発明が解決しようとする課題】
【０００４】
ところで、上記従来技術にあっては、第一の光導波路５と第二の光導波路６とのＶ字状の結合に関して問題点を有している。すなわち、第一の光導波路５と第二の光導波路６とに挟まれる角度がかなり鋭角な角度になる結合であることから、発光素子７からの第一の波長光Ａが多層膜光フィルタ４で反射しきれないという恐れが十分にあり、第一の波長光Ａが多層膜光フィルタ４を透過して受光素子８で結合すると、ノイズ光になってしまうという問題点を有している。
【０００５】
Ｖ字状の結合に関し、第一の波長光Ａの反射が十分に行われるようにするためには、高精度のフィルタが必要になることが分かっている。しかしながら、大幅なコストアップに繋がってしまうという問題点を有している。
【０００６】
また、上記従来技術にあっては、多層膜光フィルタ４を透過した第二の波長光Ｂが光学樹脂層１１及び空気層１０を通過してはじめて受光素子８に結合するようになることから、第二の光導波路６と受光素子８との距離が光学樹脂層１１及び空気層１０の存在により広がって、結果、光結合効率の低下が生じてしまうという問題点を有している。
【０００７】
さらに、上記従来技術にあっては、発光素子７と受光素子８との配置が対向するような配置であることから、この配置によって、モジュールサイズが大きくなってしまうという問題点を有している。
【０００８】
さらにまた、上記従来技術にあっては、発光素子７や受光素子８等の配置に関し、アクティブアライメントによって配置がなされるものであれば、高価な装置が必要になってしまうという問題点や、生産性に影響を来してしまうという問題点を有している。
【０００９】
本発明は、上述した事情に鑑みてなされたもので、送信すべき光の受信光への混入率を低減させる導波路型一芯双方向通信モジュールを提供することを課題とする。また、光結合効率が高く、小型の導波路型一芯双方向通信モジュールを提供することを課題とする。さらに、調心し易く生産性のよい導波路型一芯双方向通信モジュールを提供することを課題とする。
【課題を解決するための手段】
【００１０】
上記課題を解決するためになされた請求項１記載の本発明の導波路型一芯双方向通信モジュールは、発光素子及び受光素子と、光導波路を有する光導波路部材と、該光導波路部材を収納するための収納凹部を有する光導波路台とを備え、前記光導波路は、発光側と受光側とに経路を分岐してなるとともに、前記発光素子に対向する入射端面と、前記受光素子に対向する出射端面と、光ファイバの端面に対向する入出射端面とを有し、前記光導波路部材は、前記光導波路の前記入射端面及び前記出射端面を一方の部材端部側に配置するとともに、前記入出射端面を他方の部材端部側に配置してなり、前記光導波路台は、前記発光素子及び前記受光素子を横に並べて配置する素子配置部と、前記光ファイバ側となる光ファイバ側接続部とを、前記収納凹部に対して連続するように有し、前記収納凹部は、前記光導波路部材を前記発光素子と前記受光素子と前記光ファイバとの位置に合わせて固定する固定構造を有することを特徴としている。
【００１１】
このような特徴を有する本発明によれば、発光素子及び受光素子が横に並んで配置される構造になっている。また、光導波路部材の光導波路は、発光側と受光側とに経路が分岐し、発光素子に発光側の経路の入射端面が対向するとともに、受光素子に受光側の経路の出射端面が対向する構造になっている。
【００１２】
本発明によれば、光ファイバから出射され、入出射端面を介して光導波路に入射した受信光が受光側の経路を通過し、そして、出射端面から出射して受光素子に結合する構造になっている。これに対し、発光素子からの送信光は、入射端面を介して光導波路に入射し、そして、光導波路の分岐部分を経て出射端面から出射し光ファイバに結合する。発光素子及び受光素子は、横に並んで配置されていることから、発光素子からの送信光が受光素子へ直接向かわないような構造になっている。
【００１３】
本発明によれば、入出射端面又は光ファイバ端面での僅かなフレネル反射がノイズ光となる可能性を有しているが、発光素子から受光素子へ略直線的に向かう送信光を、受光素子の手前の多層膜光フィルタで反射させるよりも格段にノイズ光を低減させることが可能な構造になっている。
【００１４】
本発明によれば、光導波路部材が光導波路台の収納凹部に収納される構造になっている。発光素子及び受光素子は、収納凹部に連続する素子配置部に配置され、収納凹部には、光ファイバ側接続部が連続する構造になっている。光導波路部材は、収納凹部に収納されると所定の位置、すなわち発光素子と受光素子と光ファイバとの位置に合わせて位置決め固定される構造になっている。光導波路部材は、特別な装置を用いずに収納凹部において位置決め固定される構造になっている。
【００１５】
本発明において、特に限定するものではないが、光ファイバ：ＰＣＳ（Polymer Clad Silica ），コア径φ２００μｍ，クラッド径φ２３０μｍ、光導波路：ポリマー製光導波路、発光素子：ＶＣＳＥＬ（Vertical Cavity Surface Emitting Laser），波長８０５ｎｍ，８５５ｎｍの２波長、受光素子：Ｓｉ  ＰＩＮフォトダイオード、光導波路台：樹脂成形品、伝送速度：５００Ｍｂｐｓが一例として挙げられるものとする。
【００１６】
請求項２記載の本発明の導波路型一芯双方向通信モジュールは、請求項１に記載の導波路型一芯双方向通信モジュールにおいて、前記受光側の経路の途中又は前記出射端面にノイズ光除去用の光フィルタを設ける、或いは前記入出射端面を斜めに形成することを特徴としている。
【００１７】
このような特徴を有する本発明によれば、入出射端面又は光ファイバ端面での僅かなフレネル反射が光フィルタで除去される構造になっている。また、斜め形状の場合は、入出射端面でのフレネル反射光が光導波路から抜け出るような構造になっている。言い換えれば、光導波路へ戻り難くなる構造になっている。本発明において、光フィルタとしては、誘電体多層膜フィルタが一例として挙げられるものとする。
【００１８】
請求項３記載の本発明の導波路型一芯双方向通信モジュールは、請求項１又は請求項２に記載の導波路型一芯双方向通信モジュールにおいて、前記受光側の経路を前記発光側の経路よりも太く形成することを特徴としている。
【００１９】
このような特徴を有する本発明によれば、受光側の経路を通過する受信光の比率が大きくなる構造になっている。これにより、受光素子に結合する光のパワーが大きくなるとともに、光結合効率が向上するようになっている。尚、発光素子にレーザーを用いる場合には、作動時のレーザーへの戻り光の入射による誤変調を減じる構造になっている。
【００２０】
請求項４記載の本発明の導波路型一芯双方向通信モジュールは、請求項１又は請求項２に記載の導波路型一芯双方向通信モジュールにおいて、前記受光側の経路を直線的に形成するとともに、前記発光側の経路と前記受光側の経路とを非対称に形成することを特徴としている。
【００２１】
このような特徴を有する本発明によれば、光結合効率の向上が図られるような構造になっている。非対称の形状としては、略ｙ字状等が一例として挙げられるものとする。非対称の形状には、受光側の経路が発光側の経路よりも太くなる場合の形状も当然に含まれるものとする。
【００２２】
請求項５記載の本発明の導波路型一芯双方向通信モジュールは、請求項１ないし請求項４いずれか記載の導波路型一芯双方向通信モジュールにおいて、前記入射端面の幅を前記発光側の経路の幅よりも広く形成することを特徴としている。
【００２３】
このような特徴を有する本発明によれば、入射端面の幅を発光側の経路の幅よりも広くして、発光素子と光導波路との光軸のズレの許容値を拡大させるような構造になっている。尚、出射端面の幅を受光側の経路の幅よりも狭め、受信光を受光素子へ集光させるような構造を受光側の経路に付加してもよいものとする。
【発明の効果】
【００２４】
請求項１に記載された本発明によれば、送信すべき光の受信光への混入率を従来よりも格段に低減させることができる。従って、ノイズ光対策のなされた導波路型一芯双方向通信モジュールを提供することができるという効果を奏する。また、本発明によれば、光結合効率が高く、小型の導波路型一芯双方向通信モジュールを提供することができるという効果を奏する。さらに、本発明によれば、調心し易く生産性のよい導波路型一芯双方向通信モジュールを提供することができるという効果を奏する。
【００２５】
請求項２に記載された本発明によれば、フレネル反射の影響を抑えることができるという効果を奏する。請求項３、４に記載された本発明によれば、光結合効率を向上させることができるという効果を奏する。請求項５に記載された本発明によれば、発光素子と光導波路との光軸のズレの許容値を拡大させることができるという効果を奏する。
【発明を実施するための最良の形態】
【００２６】
以下、図面を参照しながら説明する。図１は光コネクタプラグ及び光コネクタレセプタクルからなる光コネクタの斜視図、図２は本発明の導波路型一芯双方向通信モジュールを含む図１の光コネクタレセプタクルの分解斜視図、図３は本発明の導波路型一芯双方向通信モジュールの斜視図、図４はフェルールを対向させた状態の導波路型一芯双方向通信モジュールを示す斜視図、図５は導波路型一芯双方向通信モジュールの平面図、図６は光導波路部材と光導波路台の平面図、図７は光導波路に関する説明図である。
【００２７】
図１において、引用符号２１は自動車等の移動体内の光通信や、宅内・ビル内の光通信等に用いられる一芯双方向通信用の光コネクタを示している。光コネクタ２１は、光ファイバ２２の端末側に設けられる光コネクタプラグ２３と、図示しない基板側に設けられる光コネクタレセプタクル２４とを備えて構成されている。光コネクタ２１は、光コネクタプラグ２３と光コネクタレセプタクル２４との嵌合により光学的な結合（接続）がなされるようになっている。以下、上記各構成部材について説明する。
【００２８】
光ファイバ２２は、コア及びこのコアよりも屈折率の低いクラッドを有している。光ファイバ２２は、例えばＰＣＳ（Polymer Clad Silica ）であって、コア径がφ２００μｍ、クラッドが径φ２３０μｍのものが用いられている（一例であるものとする。他の一般的な光ファイバを用いてもよいものとする）。光ファイバ２２の端末には、フェルール２５（図４参照）が設けられている。フェルール２５（図４参照）は、この端面から光ファイバ２２の端面が露出するようになっている。
【００２９】
光コネクタプラグ２３は、合成樹脂製のハウジング２６と、図示しないスプリングと、合成樹脂製のスプリングキャップ２７とを備えて構成されている。ここで光コネクタプラグ２３の前後方向として、光コネクタレセプタクル２４との嵌合側を前と定義すると、ハウジング２６の内部前方には、嵌合空間（図示省略）が形成されている。また、ハウジング２６の内部後方には、フェルール収納室（符号省略）が形成されている。嵌合空間（図示省略）及びフェルール収納室（符号省略）は前後方向に連続するように形成されている。ハウジング２６の外部には、光コネクタレセプタクル２４との嵌合用のロッキングアーム２８と、スプリングキャップ係止用の係止部２９とが形成されている。
【００３０】
スプリング（図示省略）及びスプリングキャップ２７は、フェルール２５（図４参照）を取り付ける前に予め光ファイバ２２に装着されているものとする。スプリングキャップ２７は、ハウジング２６の後部においてフェルール収納室（符号省略）の開口部分を覆うような板状に形成されている。スプリングキャップ２７には、係止部２９に引掛かる係止突起部３０が形成されている。スプリングキャップ２７における引用符号３１は、光ファイバ２２に対する貫通孔を示している。
【００３１】
光コネクタプラグ２３は、フェルール収納室（符号省略）に光ファイバ２２の端末のフェルール２５（図４参照）を収納し、スプリングキャップ２７をハウジング２６の後部に嵌合係止させると、組み立てが完了するようになっている。フェルール２５（図４参照）とスプリングキャップ２７との間には、スプリング（図示省略）が存在し、光コネクタレセプタクル２４側から押圧を受けると、フェルール２５（図４参照）には元の位置に戻ろうとする力が生じるようになっている。
【００３２】
図１及び図２において、光コネクタレセプタクル２４は、コネクタハウジング部３２を有する合成樹脂製の筐体３３と、本発明の導波路型一芯双方向通信モジュール３４と、送信器回路部３５と、受信器回路部３６とを備えて構成されている。光コネクタレセプタクル２４は、送信器回路部３５及び受信器回路部３６を接続した状態の導波路型一芯双方向通信モジュール３４を筐体３３内に収納固定することにより組み立てられている。筐体３３は、筐体本体３７と、カバー３８とを備えて構成されている。コネクタハウジング部３２は、筐体本体３７側に連成されている。ここで光コネクタレセプタクル２４の前後方向として、光コネクタプラグ２３との嵌合側を前と定義する。
【００３３】
コネクタハウジング部３２は、光コネクタプラグ２３との嵌合空間３９を有するように前面が開口する箱状の形状に形成されている。コネクタハウジング部３２には、光コネクタプラグ２３のロッキングアーム２８が引掛かり係止がなされる係止部４０が形成されている。筐体本体３７は、上面が開口する浅底の箱状部材であって、この前面にコネクタハウジング部３２が連成されている。筐体本体３７の内部には、モジュール収納部４１と、回路載置部４２と、基板接続部４３とが形成されている。また、筐体本体３７の外部には、カバー３８に対する係止部４４が複数形成されている。
【００３４】
コネクタハウジング部３２及びモジュール収納部４１は、少なくともフェルール２５（図４参照）の大きさに開口する開口部（図示省略）を有して連通しあうように形成されている。モジュール収納部４１及び基板接続部４３は、回路載置部４２よりも一段下がった凹み形状に形成されている。基板接続部４３の底には、貫通孔（符号省略）が複数形成されている。この貫通孔（符号省略）を介して、送信器回路部３５及び受信器回路部３６の各接続部４５と、図示しない基板の回路とが電気的に接続されるようになっている。送信器回路部３５及び受信器回路部３６は、共に板状に形成されている（図中では別体であるが回路部同士を一体にすることも可能であるものとする）。
【００３５】
カバー３８は、筐体本体３７の上面開口を覆うことができるような形状に形成されている。カバー３８には、筐体本体３７の対応する係止部４４に引掛かる係止突起部４６が複数形成されている。カバー３８及び筐体本体３７は、これらを嵌合係止させると、内部に収納される導波路型一芯双方向通信モジュール３４等をガタ付きなく固定することができるように形成されている。
【００３６】
図２ないし図６において、導波路型一芯双方向通信モジュール３４は、発光素子４７及び受光素子４８と、光導波路４９を有する光導波路部材５０と、この光導波路部材５０を収納するための収納凹部５１を有する光導波路台５２と、光フィルタ５３とを備えて構成されている。尚、特に限定するものではないが、本形態において、発光素子４７：ＶＣＳＥＬ（Vertical Cavity Surface Emitting Laser），波長８０５ｎｍ，８５５ｎｍの２波長、受光素子４８：Ｓｉ  ＰＩＮフォトダイオード、光導波路４９：ポリマー製光導波路、光導波路台５２：樹脂成形品、光フィルタ５３：誘電体多層膜フィルタ、のものが用いられている（一例であるものとする）。
【００３７】
図２ないし図７において、光導波路部材５０は、平面視矩形状の板状部材（形状は一例であるものとする。本形態では恰もチップ状部材に形成されている）であって、内部に光導波路４９が形成されている。光導波路４９は、コア及びこのコアよりも屈折率の低いクラッドを有している。光導波路４９は、所望の経路となるように形成されている。
【００３８】
本形態において、光導波路４９は、共通の経路５４と発光側の経路５５と受光側の経路５６とを有して略ｙ字状に形成されている。具体的には、共通の経路５４から、発光側の経路５５と、受光側の経路５６とに経路が分岐されてなっている（図５ないし図７参照）。共通の経路５４及び受光側の経路５６は、真っ直ぐに形成されるとともに、発光側の経路５５よりも太く形成されている。発光側の経路５５は、細く、屈曲部分を有するように形成されている。
【００３９】
発光側の経路５５と受光側の経路５６との分岐比率（太さの比率）は、本形態において、１：３となっている（一例であるものとする。本形態では、分岐比率を１：３にすることによって、受光素子４７側へ導く受信光の損失を１ｄＢ以下にすることができるという結果を得ている）。光導波路４９は、発光側の経路５５と受光側の経路５６とが非対称の形状となるように形成されている。
【００４０】
共通の経路５４は、光ファイバ２２の端面に対向する入出射端面５７を有している。また、発光側の経路５５は、発光素子４７に対向する入射端面５８を有している。また、受光側の経路５６は、受光素子４８に対向する出射端面５９を有している。入出射端面５７は、光導波路部材５０の前側に存在する平坦な部材端部６０に対して同一平面となるように配置形成されている。入射端面５８及び出射端面５９は、光導波路部材５０の後側に存在する平坦な部材端部６１に対して同一平面となるように配置形成されている。
【００４１】
本形態において、光導波路４９は略ｙ字状（小文字のｙ）に形成されているが、この限りでないものとする。例えば、Ｙ字状（大文字のＹ）やＶ字状等でもよいものとする。但し、入射端面５８と出射端面５９と入出射端面５７の位置関係が上記と同じになるものとする。尚、光導波路部材５０の材質及び製造方法に関しては、本願出願人が先に提案し特開２００５−１６５１８１号公報に開示された技術が一例として挙げられるものとする。
【００４２】
図２ないし図６において、光導波路台５２は、収納凹部５１と、この収納凹部５１に連続する素子配置部６２と、収納凹部５１に連通する光ファイバ側接続部６３とを有して図示のような形状（一例であるものとする）に形成されている。収納凹部５１は、発光素子４７と受光素子４８と光ファイバ２２との位置に合わせて光導波路部材５０を固定することができるように形成されている（特に図示しないが、収納凹部５１には、光導波路部材５０を嵌め込み圧入形式で取付固定するための構造が施されている。嵌め込み圧入形式での取付固定は、アクティブアライメントが不要になるため、生産性がよくなるという利点を有する。収納凹部５１は、光導波路台５２の前壁及び左右の両側壁により囲まれて形成されている。
【００４３】
光導波路台５２の前壁には、光ファイバ側接続部６３が貫通形成されている。光ファイバ側接続部６３は、フェルール２５の形状に合わせて形成されている。素子配置部６２は、光導波路台５２の後部に形成されている。素子配置部６２は、発光素子４７及び受光素子４８を横に並べて配置固定することができるように形成されている。発光素子４７及び受光素子４８が横に並んで配置されることから、発光素子４７からの送信光が受光素子４８へ直接向かわないような構造になっている。
【００４４】
光フィルタ５３は、収納凹部５１と素子配置部６２との境界部分に固定されるようになっている。具体的には、受光素子４８に対向する光導波路４９の出射端面５９に接触するように配置されている（一例であるものとする。受光側の経路５６の途中に配置してもよいものとする）。光フィルタ５３は、ノイズ光除去用の光フィルタである。
【００４５】
上記構成において、光ファイバ２２により伝送されてきた信号光は、光ファイバ２２の端面から出射され、光導波路４９の入出射端面５７を介して内部に入射する。光導波路４９の内部に入射した受信光は、受光側の経路５６を通過して出射端面５９から出射する。そして、光フィルタ５３を透過して受光素子４８に結合する。一方、発光素子４７からの送信光は、光導波路４９の入射端面５８を介して内部に入射する。そして、光導波路４９の分岐部分を経て出射端面５７から出射し、光ファイバ２２に結合する。
【００４６】
本発明によれば、発光素子４７及び受光素子４８が横に並んで配置されることから、発光素子４７からの送信光が受光素子４８へ直接向かわないような構造になっている。すなわち、従来例とは異なる配置構造になっている。尚、上記構成及び構造では、入出射端面５７又は光ファイバ２２の端面での僅かなフレネル反射が生じるが、光フィルタ５３を有することから、ノイズ光が受光素子４８に入射しないようになっている。
【００４７】
ここで、光フィルタ５３を用いない場合の例について説明する。図８において、光導波路４９の入出射端面５７は、図示のように斜め形状に形成されている。このような入出射端面５７によれば、フレネル反射が光導波路４９から抜け出るような構造になっている（破線の矢印参照）。その他、光フィルタ５３を用いない場合としては、通信速度によって光フィルタ５３を必要としない場合も考えられる。
【００４８】
図９は入射端面５８及び出射端面５９にテーパを形成した場合の説明図である。図９において、入射端面５８の幅は、発光側の経路５５の幅よりも広く形成されている。すなわち、入射端面５８には、この入射端面５８に向けて間隔が広がるテーパ６４が連成されている。テーパ６４は、発光素子４７と光導波路４９との光軸のズレをより大きく許容するために形成されている。一方、出射端面５９の幅は、受光側の経路５６の幅よりも狭く形成されている。出射端面５９には、この出射端面５９に向けて間隔が狭まるテーパ６５が連成されている。テーパ６５は、受信光を受光素子４８へ集光させるために形成されている。ここではテーパ６４と６５の両方が形成されるようになっているが、テーパ６４のみの形成であってもよいものとする。
【００４９】
図１０は樹脂パッケージの送受信器を実装した例を示す平面図である。このように導波路型一芯双方向通信モジュール３４は、上記の発光素子４７及び受光素子４８の代わりに、樹脂パッケージの送信器６６及び受信器６７を実装してもよいものとする。
【００５０】
以上、図１ないし図１０を参照しながら説明してきたように、本発明によれば、送信すべき光の受信光への混入率を従来よりも格段に低減させることができるという効果を奏する。従って、従来よりもノイズ光対策のなされた導波路型一芯双方向通信モジュール３４を提供することができるという効果を奏する。また、本発明によれば、上記構成及び構造からも分かるように、光結合効率を高め、小型にすることができるという効果と、調心し易く生産性を高めることができるという効果を奏する。
【００５１】
次に、図１１ないし図１３を参照しながら本発明の導波路型一芯双方向通信モジュールの他の例を説明する。図１１は他の例を示す斜視図、図１２は図１１の導波路型一芯双方向通信モジュールの分解斜視図、図１３は図１１の導波路型一芯双方向通信モジュールの斜視図である。尚、上述と基本的に同じ構成部材には同一の符号を付して説明を省略するものとする。
【００５２】
図１１ないし図１３において、導波路型一芯双方向通信モジュール７１は、発光素子４７及び受光素子４８と、光導波路７２を有する光導波路部材７３と、光フィルタ５３と、光導波路台７４とを備えて構成されている。
【００５３】
光導波路部材７３は、平面視矩形状の板状部材（形状は一例であるものとする。本形態では恰もチップ状部材に形成されている）であって、光導波路７２が形成されている。光導波路７２は、コア及びこのコアよりも屈折率の低いクラッドを有している。光導波路７２は、所望の経路となるように形成されている。
【００５４】
本形態において、光導波路７２は、多少屈曲する発光側の経路７５と、同じく多少屈曲する受光側の経路７６とを有して略Ｖ字状に形成されている。具体的には、発光側の経路７５と、受光側の経路７６とに経路が分岐されてなっている（図１２参照）。受光側の経路７６は、発光側の経路７５よりも若干太く形成されている（同じ太さであってもよいものとする）。
【００５５】
光導波路７２は、光ファイバ２２の端面に対向する入出射端面７７を有している。また、発光側の経路７５は、発光素子４７に対向する入射端面７８を有している。また、受光側の経路７６は、受光素子４８に対向する出射端面７９を有している。入出射端面７７は、光導波路部材７３の前側に存在する平坦な部材端部８０に対して同一平面となるように配置形成されている。入射端面７８及び出射端面７９は、光導波路部材７３の後側に存在する平坦な部材端部８１に対して同一平面となるように配置形成されている。
【００５６】
光導波路台７４は、台本体８２と、この台本体８２に連続する一対の基板固定部８３とを有している。台本体８２は、収納凹部８４と、この収納凹部８４に連通する素子配置部８５と、収納凹部８４に連通する光ファイバ側接続部８６とを有して図示のような形状に形成されている。収納凹部８４は、発光素子４７と受光素子４８と光ファイバ２２との位置に合わせて光導波路部材７３を固定することができるように形成されている（収納凹部８４には、光導波路部材７３を嵌め込み圧入形式で取付固定するための構造が施されている）。
【００５７】
台本体８２に連続する基板固定部８３には、基板差し込み用のスリット８７と、このスリット８７に直交する方向のねじ穴８８とが形成されている。スリット８７には、特に図示しないが送信器回路部３５及び受信器回路部３６（図２参照）が差し込まれるようになっている。
【００５８】
上記構成において、光導波路台７４の素子配置部８５に発光素子４７、受光素子４８を固定し、また、光導波路台７４の収納凹部８４に光導波路部材７３を取付固定すると、導波路型一芯双方向通信モジュール７１の組み立てが完了する。組み立てが完了した導波路型一芯双方向通信モジュール７１は、発光素子４７及び受光素子４８の各リードフレーム８９を介して送信器回路部３５及び受信器回路部３６（図２参照）に接続され、また、光導波路台７４と送信器回路部３５及び受信器回路部３６とが固定され、そして、光ファイバ側接続部８６を介して光ファイバ２２の端末のフェルール２５が接続されると、光学的な接続が完了し、送受信光の伝送が可能な状態になる。
【００５９】
以上の構成及び構造の導波路型一芯双方向通信モジュール７１も上述の導波路型一芯双方向通信モジュール３４と同様の効果を奏するのは言うまでもない。
【００６０】
その他、本発明は本発明の主旨を変えない範囲で種々変更実施可能なことは勿論である。
【図面の簡単な説明】
【００６１】
【図１】光コネクタプラグ及び光コネクタレセプタクルからなる光コネクタの斜視図である。
【図２】本発明の導波路型一芯双方向通信モジュールを含む図１の光コネクタレセプタクルの分解斜視図である。
【図３】本発明の導波路型一芯双方向通信モジュールの斜視図である。
【図４】フェルールを対向させた状態の導波路型一芯双方向通信モジュール（発光素子及び受光素子を除く）を示す斜視図である。
【図５】導波路型一芯双方向通信モジュールの平面図（光導波路部材のみ断面図）である。
【図６】光導波路部材と光導波路台の平面図（光導波路部材のみ断面図）である。
【図７】光導波路に関する説明図である。
【図８】入出射端面を斜めに形成する説明図である。
【図９】入射端面及び出射端面にテーパを形成する説明図である。
【図１０】樹脂パッケージの送受信器を実装した例を示す平面図である。
【図１１】本発明の導波路型一芯双方向通信モジュールの他の例を示す斜視図である。
【図１２】図１１の導波路型一芯双方向通信モジュールの分解斜視図である。
【図１３】図１１の導波路型一芯双方向通信モジュールの斜視図である。
【図１４】従来例の一芯双方向通信モジュールの斜視図である。
【符号の説明】
【００６２】
２１  光コネクタ
２２  光ファイバ
２３  光コネクタプラグ
２４  光コネクタレセプタクル
２５  フェルール
２６  ハウジング
２７  スプリングキャップ
２８  ロッキングアーム
２９  係止部
３０  係止突起部
３１  貫通孔
３２  コネクタハウジング部
３３  筐体
３４  導波路型一芯双方向通信モジュール
３５  送信器回路部
３６  受信器回路部
３７  筐体本体
３８  カバー
３９  嵌合空間
４０  係止部
４１  モジュール収納部
４２  回路載置部
４３  基板接続部
４４  係止部
４５  接続部
４６  係止突起部
４７  発光素子
４８  受光素子
４９  光導波路
５０  光導波路部材
５１  収納凹部
５２  光導波路台
５３  光フィルタ
５４  共通の経路
５５  発光側の経路
５６  受光側の経路
５７  入出射端面
５８  入射端面
５９  出射端面
６０、６１  部材端部
６２  素子配置部
６３  光ファイバ側接続部
６４、６５  テーパ
６６  樹脂パッケージの送信器
６７  樹脂パッケージの受信器
７１  導波路型一芯双方向通信モジュール
７２  光導波路
７３  光導波路部材
７４  光導波路台
７５  発光側の経路
７６  受光側の経路
７７  入出射端面
７８  入射端面
７９  出射端面
８０、８１  部材端部
８２  台本体
８３  基板固定部
８４  収納凹部
８５  素子配置部
８６  光ファイバ側接続部
８７  スリット
８８  ねじ穴
８９  リードフレーム
【図１】
2007052194.tif 000003
【図２】
2007052194.tif 000004
【図３】
2007052194.tif 000005
【図４】
2007052194.tif 000006
【図５】
2007052194.tif 000007
【図６】
2007052194.tif 000008
【図７】
2007052194.tif 000009
【図８】
2007052194.tif 000010
【図９】
2007052194.tif 000011
【図１０】
2007052194.tif 000012
【図１１】
2007052194.tif 000013
【図１２】
2007052194.tif 000014
【図１３】
2007052194.tif 000015
【図１４】
2007052194.tif 000016